(57)【要約】【課題】無駄なスペースを有効に利用できると共に、ユーザの好みに応じ簡易にレイアウトを変更できるデスクサイドキャビネットを提供すること。【解決手段】机など天板を有する什器に附設して使用するデスクサイドキャビネットであって、金属乃至は合成樹脂などの硬質素材を箱形に形成してなるキャビネット本体と、該キャビネット本体左右長の二分の一以上の長さの上板とを備え、該上板は、上面が前記天板の上面と略同一面に整合すると共に、下面側の適宜位置に配設された軸状部材が前記キャビネット本体の上面略中央部に配設された軸受部によって回動自在に軸支されたこと。【選択図】図５
0003133272.tif 000002
【実用新案登録請求の範囲】
【請求項１】
机など天板を有する什器に附設して使用するデスクサイドキャビネットであって、金属乃至は合成樹脂などの硬質素材を箱形に形成してなるキャビネット本体と、該キャビネット本体左右長の二分の一以上の長さの上板とを備え、該上板は、上面が前記天板の上面と略同一面に整合すると共に、下面側の適宜位置に配設された軸状部材が前記キャビネット本体の上面略中央部に配設された軸受部によって回動自在に軸支されたことを特徴とするデスクサイドキャビネット。
【請求項２】
前記軸状部材はクランク状である請求項１のデスクサイドキャビネット。
【請求項３】
上板の長さを、前記キャビネット本体左右長の二分の一以下にした請求項２のデスクサイドキャビネット。
【請求項４】
上板は下面側に脚部材を備え、該脚部材の下端部には高さ調節用の回転調節部材を螺入してなる請求項１〜３のいずれかのデスクサイドキャビネット。
【請求項５】
軸状部材はキー部材を備え、軸受部は該キー部材を受けるキー溝を備えてなる請求項１〜４のいずれかのデスクサイドキャビネット。
【請求項６】
軸受部を上板に、軸状部材をキャビネット本体に配設してなる請求項１〜５のいずれかのデスクサイドキャビネット。
【考案の詳細な説明】
【技術分野】
【０００１】
本考案は机の脇や下部などに設置して使用するデスクサイドキャビネットに関し、特に回動自在な上板を備えたデスクサイドキャビネットに関するものである。
【背景技術】
【０００２】
机等の天板下部スペースには、物品収納部として機能するキャビネットを机と一体又は別体に設けることがある。このキャビネットの上面に対しては、机天板と同じ高さの上面を有する上板を配設してデスクサイドに並設し、作業スペースの拡大を図るデスクサイドキャビネットについての提案が既になされている（特許文献１参照）。
【０００３】
しかしながら、双方の天板及び上板の高さ位置が同じであると什器天板下部にキャビネットを挿入することができないため天板下部においてデッドスペースを生じてしまい、収納効率が悪くなってしまう。
【０００４】
この点については、キャビネット本体の左右長のほぼ半分の長さの上板を、該キャビネット本体の左半部と右半部との上面に選択的に取付けうるように設けてスペースを有効利用する技術が既に提案されている（特許文献２参照）。
【０００５】
ところが、上記特許文献２に記載されたキャビネットは上板下面側の四隅に配設された支持ピンをキャビネット本体の適所に設けた取付孔に嵌合して該上板を取付ける構成であるため、ユーザが好みにより什器のレイアウトを変更するに際しては、その都度四隅の支持ピンを抜いて再度左右逆側の取付孔へ該支持ピンをひとつひとつ挿入するという手間を要し、煩に堪えず、大いに改善の余地を残している。
【特許文献１】特開平１０−０５７１６７
【特許文献２】特開２００３−１３５１７９
【考案の開示】
【考案が解決しようとする課題】
【０００６】
そこで本考案は従来のデスクサイドキャビネットが有する上記の不具合に鑑み、無駄なスペースを有効活用できると共に、ユーザの好みに応じ簡易にレイアウトを変更できるデスクサイドキャビネットを提供することを課題とするものである。
【課題を解決するための手段】
【０００７】
上記課題の解決を目的としてなされた本考案デスクサイドキャビネットの構成は、机など天板を有する什器に附設して使用するデスクサイドキャビネットであって、金属乃至は合成樹脂などの硬質素材を箱形に形成してなるキャビネット本体と、該キャビネット本体左右長の二分の一以上の長さの上板とを備え、該上板は、上面が前記天板の上面と略同一面に整合すると共に、下面側の適宜位置に配設された軸状部材が前記キャビネット本体の上面略中央部に配設された軸受部によって回動自在に軸支されることを特徴とするものである。また、前記軸状部材をクランク状に形成し、さらに、上板の長さを、前記キャビネット本体左右長の二分の一以下にして構成してもよい。前記上板は下面側に脚部材を備え、該脚部材の下端部には高さ調節用の回転調節部材を螺入して構成することも任意である。軸状部材はキー部材を備え、軸受部は該キー部材を受けるキー溝を備えるようにしてもよく、また、軸受部を上板に、軸状部材をキャビネット本体に配設することも可能である。
【考案の効果】
【０００８】
本考案デスクサイドキャビネットは、机等の什器に附設して使用するに際し、キャビネット本体の左右長の二分の一以上の長さを有し什器天板と当接して略同一面に整合される上板を備えているので、相当程度の作業スペースを拡張することができる。また、上板の長さをキャビネット本体の左右長の二分の一以下に構成したときは、上板を有しない残りのキャビネット本体部分が什器天板の下部に収められるため、デッドスペースを収納部としてより有効に利用することができる。さらに、本考案デスクサイドキャビネットは上板がキャビネット本体に対して回動自在に軸支されているため、キャビネット本体に対する上板の左右位置を簡易に変更することができる。この結果、什器下部に無駄なスペースを余し、或いは好みのレイアウトに配置変更するに際して手間を要するといった事態は完全に防止することができる。
【考案を実施するための最良の形態】
【０００９】
次に本考案デスクサイドキャビネットの実施の形態例について図に拠り説明する。図１は本考案デスクサイドキャビネットを例示した正端面図、図２は図１の側端面図、図３は本考案デスクサイドキャビネットの一例の斜視図、図4は上板を回転させた後の本考案デスクサイドキャビネットの一例の斜視図、図５は軸受部及び軸状部材の取付態様の一例を示した分解斜視図、図６は脚部材の取付態様を例示した分解斜視図、図７は本考案デスクサイドキャビネットの別の実施態様を例示した正端面図、図８はクランク状軸状部材の取付態様を例示した分解斜視図である。
【００１０】
図１において、１は本考案に係るデスクサイドキャビネットの一例であって、金属乃至は合成樹脂製など適宜の硬質素材を箱形に形成してなるキャビネット本体Ｂと、該キャビネット本体Ｂ左右長の約三分の二程度の長さの上板Ｄとを備えている。また、キャビネット本体Ｂの底部にはキャスタＣを配設して、本考案デスクサイドキャビネット１を移動自在に構成することもできる。
【００１１】
前記上板Ｄは、下面側の四隅に配設された脚部材Ｌによって支持され、キャビネット本体Ｂの上部に配置されている。この脚部材Ｌは、図６において例示したように固定基材Ｌｂの両端部に配設されており、羅合部材Ｌｂｓを螺着することによって該固定基材Ｌｂと共に前記上板Ｄに対して固着される。
【００１２】
脚部材Ｌの先端部には、高さ調節用の回転調節部材Ｌａを螺入して構成することも任意である。これにより、上板Ｄがキャビネット本体Ｂ上でガタつくのを防止することができ、本考案デスクサイドキャビネット１を机やテーブルなど天板を有する什器に並設するに際してもユーザが使用感を損ねることなく作業スペースを拡張することができる。
【００１３】
上板Ｄは下面側の適宜の位置において、図５に例示するように、軸状部材Ｓｐを備えており、一方、キャビネット本体Ｂの上面略中央部には軸受部Ｓｒが配設されている。また、これとは逆に軸受部Ｓｒを上板Ｄの下面側に、軸状部材Ｓｐをキャビネット本体Ｂの上面側に配設して構成することも可能である。
【００１４】
軸状部材Ｓｐは固定基材Ｓｐｂの略中央部分に配設され、羅合部材Ｓｐｓを螺着することによって、固定基材Ｓｐｂと共に上板Ｄへ固定される。軸受部Ｓｒは固定基材Ｓｒｂ上に配設され、羅合部材Ｓｒｓを螺着することによって、固定基材Ｓｒｂと共にキャビネット本体Ｂへ固定される。
【００１５】
軸受部Ｓｒは、中央部分に軸状部材Ｓｐの直径と略同一の直径をもつ円柱状の空洞を有しており、この空洞部分に軸状部材Ｓｐが枢着されて上板Ｄは回動自在に軸支されることとなる。
【００１６】
また、軸状部材Ｓｐは、上部側（固定基材Ｓｐｂ側）に軸直径よりも長い幅を有する板状のキー部材Ｓｐｋを備えており、軸受部Ｓｒは上部側（固定基材Ｓｒｂと反対側）に、このキー部材Ｓｐｋを遊嵌可能なキー溝Ｓｒｋを備えている。
【００１７】
ユーザは、什器のレイアウト変更等に際しても、上板Ｄ全体をキャビネット本体Ｂからいちいち取外して位置変えを行う必要はなく、上板Ｄをキャビネット本体Ｂから少し持上げキー部材Ｓｐｋ及びキー溝Ｓｒｋの嵌合をはずして回動させることで、簡易に上板Ｄの位置変えを行うことができる。一方、キー部材Ｓｐｋとキー溝Ｓｒｋとが遊嵌した通常の使用状態では、キー溝Ｓｒｋにより軸状部材Ｓｐはキャビネット本体Ｂと略一体に固定されるので、上板Ｄを作業スペースとして遊動することなく安定的に利用することが可能となる。
【００１８】
前述の通り、上板Ｄはキャビネット本体Ｂの左右長の約三分の二程度の長さを備えるため、什器天板に当接させて使用すれば充分に作業スペースの拡張をはかることができ、ユーザは作業効率を向上させることができる。
【００１９】
なお、什器天板下部のデッドスペースを有効利用するためには、図７に示すように上板Ｄの左右長をキャビネット本体Ｂの二分の一以下として、本考案デスクサイドキャビネット１を構成することも任意である。かかる構成においては、図８に例示するように軸状部材Ｓｐをクランク状に形成するなどして解決を図ることが可能であり、これによってユーザは天板下部における収納効率の向上を図ることができる。脚部材Lについては、軸状部材Ｓｐの固定基材Ｓｐｂの両端部に配設して構成することが可能である。
【産業上の利用可能性】
【００２０】
本考案は以上の通りであって、机等の什器に附設して使用するに際し、キャビネット本体の左右長の二分の一以上の長さを有し什器天板と当接して略同一面に整合される上板を備えているので、相当程度の作業スペースを拡張することができ、また、上板の長さをキャビネット本体の左右長の二分の一以下に構成したときは、上板を有しない残りのキャビネット本体部分が什器天板の下部に収められるため、デッドスペースを収納部としてより有効に利用することができ、さらに、上板がキャビネット本体に対して回動自在に軸支されているため、キャビネット本体に対する上板の左右位置を簡易に変更することができるので、この結果として、什器下部に余剰スペースを持て余し、或いは好みのレイアウトに配置変更するに際して手間を要するといった事態は完全に防止することができるという効果を有するからデスクサイドキャビネットに適用してきわめて有用である。
【図面の簡単な説明】
【００２１】
【図１】本考案デスクサイドキャビネットを例示した正端面図
【図２】本考案デスクサイドキャビネットを例示した側端面図
【図３】本考案デスクサイドキャビネットの一例の斜視図
【図４】上板を回転させた後の本考案デスクサイドキャビネットの一例の斜視図
【図５】軸受部及び軸状部材の取付態様の一例を示した分解斜視図
【図６】脚部材の取付態様を例示した分解斜視図
【図７】本考案デスクサイドキャビネットの別の実施態様を例示した正端面図
【図８】クランク状軸状部材の取付態様を例示した分解斜視図
【符号の説明】
【００２２】
１      本考案に係るデスクサイドキャビネット
Ｂ      キャビネット本体
Ｄ      上板
Ｌ      脚部材
Ｃ      キャスタ
Ｓｐ    軸状部材
Ｓｐｋ  キー部材
Ｓｐｂ  固定基材
Ｓｐｓ  羅合部材
Ｓｒ    軸受部
Ｓｒｋ  キー溝
Ｓｒｂ  固定基材
Ｓｒｓ  羅合部材
Ｌｂ    固定基材
Ｌｂｓ  羅合部材
Ｌａ    回転調節部材
【図１】
0003133272.tif 000003
【図２】
0003133272.tif 000004
【図３】
0003133272.tif 000005
【図４】
0003133272.tif 000006
【図５】
0003133272.tif 000007
【図６】
0003133272.tif 000008
【図７】
0003133272.tif 000009
【図８】
0003133272.tif 000010